(57)【要約】【目的】２本の交差状態の長尺ボルトの交差部を確実に連結することができ、しかも作業性の良好な長尺ボルト交差連結金具を提供する。【構成】交差状態の２本の長尺ボルトの交差部分を連結する構成の長尺ボルト交差連結金具において、  長辺部、短辺部、該長辺部と短辺部とを接続する折曲部とを形成して成る第１Ｊ字部材と、  長辺部、短辺部、該長辺部と短辺部とを接続する折曲部とを形成して成る第２Ｊ字部材と、を有すると共に、  第１Ｊ字部材と第２Ｊ字部材とが長辺部の一部同士を積層させた状態で回動可能に接続され、  第１Ｊ字部材の折曲部の内側に長尺ボルトの一方を引掛け挿通した後、ボルトナット締めにより一方の長尺ボルトの脱落を防止し、  第２Ｊ字部材の折曲部の内側に長尺ボルトの他方を引掛け挿通した後、ボルトナット締めにより他方の長尺ボルトの脱落を防止する構成である。【選択図】        図１
2014148828.tif 000002
【特許請求の範囲】
【請求項１】
交差状態の２本の長尺ボルトの交差部分を連結する構成の長尺ボルト交差連結金具において、
板材を断面Ｊ字状に折曲げて、長辺部、短辺部、該長辺部と短辺部とを接続する折曲部とを形成して成る第１Ｊ字部材と、
板材を断面Ｊ字状に折曲げて、長辺部、短辺部、該長辺部と短辺部とを接続する折曲部とを形成して成る第２Ｊ字部材と、を有すると共に、
前記第１Ｊ字部材と第２Ｊ字部材とが、各々のＪ字の短辺部が外向きとなると共に各々の長辺部の一部同士を積層させた状態で回動可能に接続されており、
更に、前記第１Ｊ字部材の短辺部と該短辺部と間隔を設けて積層する長辺部の各々には、ボルトを貫通挿通可能な透孔が穿設され、
且つ、前記第２Ｊ字部材の短辺部と該短辺部と間隔を設けて積層する長辺部の各々には、ボルトを貫通挿通可能な透孔が穿設されており、
前記第１Ｊ字部材の長辺部と短辺部との間で且つ折曲部の内側に前記２本の長尺ボルトの一方を引掛け挿通した後、前記長辺部と短辺部の透孔にボルトを貫通挿通してナット締めすることにより引掛け挿通した一方の長尺ボルトの脱落を防止する構成であり、
前記第２Ｊ字部材の長辺部と短辺部との間で且つ折曲部の内側に前記２本の長尺ボルトの他方を引掛け挿通した後、前記長辺部と短辺部の透孔にボルトを貫通挿通してナット締めすることにより引掛け挿通した他方の長尺ボルトの脱落を防止する構成であること、
を特徴とする長尺ボルト交差連結金具。
【請求項２】
前記ボルト挿通用の透孔乃至は該透孔の近傍に、該透孔に挿通するボルトの供回り防止手段が設けられていることを特徴とする請求項１に記載の長尺ボルト交差連結金具。
【請求項３】
前記供回り防止手段が、ボルト頭の側面に当接する凸部を設けた構成であることを特徴とする請求項２に記載の長尺ボルト交差連結金具。
【請求項４】
前記供回り防止手段が、前記短辺部又は長辺部の一部をボルト頭の側面に当接するように折り曲げた構成であることを特徴とする請求項２に記載の長尺ボルト交差連結金具。
【請求項５】
前記第１Ｊ字部材の長辺部と第２Ｊ字部材の長辺部との積層が、Ｊ字の内側面同士が互いに対面するように積層させた構成であること、
を特徴とする請求項１〜４のいずれかに記載の長尺ボルト交差連結金具。
【請求項６】
天井スラブ・デッキプレートの如き天板部より垂設された複数本の吊りボルトの隣接する２本の吊りボルト同士間である１つのスパン間に対して少なくとも２本の長尺ボルトを交差状態に架渡し、この交差状態の２本の長尺ボルトの交差部分を請求項１〜５のいずれかに記載の長尺ボルト交差連結金具を用いて連結する構成であることを特徴とする長尺ボルト交差連結金具。
【請求項７】
天井スラブ・デッキプレートの如き天板部より垂設された吊りボルトに対して長尺ボルトを交差状態に配設し、この交差状態の２本のボルトの交差部分を請求項１〜５のいずれかに記載の長尺ボルト交差連結金具を用いて連結する構成であることを特徴とする長尺ボルト交差連結金具。
【発明の詳細な説明】
【技術分野】
【０００１】
本発明は長尺ボルト交差連結金具に関し、詳しくは天井スラブ・デッキプレートの如き天板部より垂設された複数本の吊りボルト同士間に長尺ボルトを交差状態に架渡して連結することにより吊り状態を補強する構成に用いる長尺ボルト交差連結金具に関する。
【背景技術】
【０００２】
天井スラブ・デッキプレートの如き天板部より垂設された複数本の吊りボルトの隣接する２本の吊りボルト同士間である１つのスパン間に対して長尺ボルトを架渡し、この架渡した長尺ボルトによって隣接する吊りボルト同士を連結して吊りボルトによる吊り状態を補強する構成が知られている。
【０００３】
上記した吊り状態の補強構成において、１つのスパン間に架渡される２本の長尺ボルトの交差部を連結することにより前記吊り状態の強度を更に高めるための技術が種々提案されている（例えば、特許文献１〜４参照）。
【０００４】
特許文献１の技術は、２本の長尺ボルトを各々抱持する２つの半割抱持部材を半割抱持部の開放部分が向い合うように且つ交差状態に対向させた状態でボルト・ナットにより緊締することによって前記２本の長尺ボルトを交差状態で連結する構成である。
【０００５】
特許文献２，３の技術は、連結金具に形成された２組の凹部の各々に２本の長尺ボルトを嵌入することにより２本の長尺ボルトの交差部を連結する構成である。
【０００６】
特許文献４の技術は、２本の長尺を各々挿通する２つの挿通部を交差状態に接続した連結金具により２本の長尺ボルトの交差部を連結する構成である。
【先行技術文献】
【特許文献】
【０００７】
【特許文献１】特開平０７−３２４４２６号公報（図８及び図９）
【特許文献２】特許４４５７１５４号公報
【特許文献３】特許４７４１９４６号公報
【特許文献４】特開２００９−２１５７１６号公報
【発明の概要】
【発明が解決しようとする課題】
【０００８】
特許文献１の技術は、２つの半割抱持部材を接続する１本のボルト・ナットの緊締が緩んでしまうと半割抱持部から長尺ボルトが脱落し易くなるという問題点を有している。
【０００９】
特許文献２，３の技術は、凹部に嵌入した長尺ボルトに対して嵌入方向と逆方向に応力が掛かった場合に長尺ボルトが凹部から脱落してしまう場合があるという問題点を有している。更に、特許文献３の技術においては、歪みを許容する弾性部材で形成されているため、吊り状態の更なる補強については不充分であるという問題点を有している。
【００１０】
特許文献４の技術は、２本の長尺ボルトの各々を２つの挿通部に対して予め端部から挿通する必要があり、現場での作業性が劣るという問題点を有している。
【００１１】
そこで本発明の課題は、２本の交差状態の長尺ボルトの交差部を確実に連結することができ、しかも作業性の良好な長尺ボルト交差連結金具を提供することにある。
【課題を解決するための手段】
【００１２】
上記課題を解決する本発明は下記構成を有する。
【００１３】
１．交差状態の２本の長尺ボルトの交差部分を連結する構成の長尺ボルト交差連結金具において、
板材を断面Ｊ字状に折曲げて、長辺部、短辺部、該長辺部と短辺部とを接続する折曲部とを形成して成る第１Ｊ字部材と、
板材を断面Ｊ字状に折曲げて、長辺部、短辺部、該長辺部と短辺部とを接続する折曲部とを形成して成る第２Ｊ字部材と、を有すると共に、
前記第１Ｊ字部材と第２Ｊ字部材とが、各々のＪ字の短辺部が外向きとなると共に各々の長辺部の一部同士を積層させた状態で回動可能に接続されており、
更に、前記第１Ｊ字部材の短辺部と該短辺部と間隔を設けて積層する長辺部の各々には、ボルトを貫通挿通可能な透孔が穿設され、
且つ、前記第２Ｊ字部材の短辺部と該短辺部と間隔を設けて積層する長辺部の各々には、ボルトを貫通挿通可能な透孔が穿設されており、
前記第１Ｊ字部材の長辺部と短辺部との間で且つ折曲部の内側に前記２本の長尺ボルトの一方を引掛け挿通した後、前記長辺部と短辺部の透孔にボルトを貫通挿通してナット締めすることにより引掛け挿通した一方の長尺ボルトの脱落を防止する構成であり、
前記第２Ｊ字部材の長辺部と短辺部との間で且つ折曲部の内側に前記２本の長尺ボルトの他方を引掛け挿通した後、前記長辺部と短辺部の透孔にボルトを貫通挿通してナット締めすることにより引掛け挿通した他方の長尺ボルトの脱落を防止する構成であること、
を特徴とする長尺ボルト交差連結金具。
【００１４】
２．前記ボルト挿通用の透孔乃至は該透孔の近傍に、該透孔に挿通するボルトの供回り防止手段が設けられていることを特徴とする上記１に記載の長尺ボルト交差連結金具。
【００１５】
３．前記供回り防止手段が、ボルト頭の側面に当接する凸部を設けた構成であることを特徴とする上記２に記載の長尺ボルト交差連結金具。
【００１６】
４．前記供回り防止手段が、前記短辺部又は長辺部の一部をボルト頭の側面に当接するように折り曲げた構成であることを特徴とする上記２に記載の長尺ボルト交差連結金具。
【００１７】
５．前記第１Ｊ字部材の長辺部と第２Ｊ字部材の長辺部との積層が、Ｊ字の内側面同士が互いに対面するように積層させた構成であること、
を特徴とする上記１〜４のいずれかに記載の長尺ボルト交差連結金具。
【００１８】
６．天井スラブ・デッキプレートの如き天板部より垂設された複数本の吊りボルトの隣接する２本の吊りボルト同士間である１つのスパン間に対して少なくとも２本の長尺ボルトを交差状態に架渡し、この交差状態の２本の長尺ボルトの交差部分を上記１〜５のいずれかに記載の長尺ボルト交差連結金具を用いて連結する構成であることを特徴とする長尺ボルト交差連結金具。
【００１９】
７．天井スラブ・デッキプレートの如き天板部より垂設された吊りボルトに対して長尺ボルトを交差状態に配設し、この交差状態の２本のボルトの交差部分を上記１〜５のいずれかに記載の長尺ボルト交差連結金具を用いて連結する構成であることを特徴とする長尺ボルト交差連結金具。
【発明の効果】
【００２０】
請求項１に示す発明によれば、２本の交差状態の長尺ボルトの交差部を確実に連結することができ、しかも作業性の良好な長尺ボルト交差連結金具を提供することができる。
【００２１】
特に、２本の長尺ボルトの各々を、第１Ｊ字部材と第２Ｊ字部材の各々の長辺部と短辺部との間で且つ折曲部の内側に引掛け挿通した後、長辺部と短辺部をボルトを貫通挿通してナット締めする構成により、引掛け挿通した長尺ボルトが脱落することがない。
【００２２】
請求項２に示す発明によれば、２本の長尺ボルトを各々引掛け挿通した第１Ｊ字部材と第２Ｊ字部材の夫々に挿通したボルトへのナット螺合作業時に、ナット螺合に伴うボルトの供回りが生じることなくナットを螺合することができるので、現場での取付作業時の作業性が向上する。
【００２３】
請求項３又は４に示す発明によれば、ボルト供回り手段を極めて簡易な構成により低コストで得ることができる。
【００２４】
請求項５に示す発明によれば、交差部における２本の長尺ボルト同士の間隔を無くした状態での連結が可能となる。尚、Ｊ字の長辺部の外側面同士が当接するように積層させた場合には、長辺部２枚分の厚み分だけ交差部における２本の長尺ボルト同士の間隔が開くことになる。
【００２５】
請求項６に示す発明によれば、２本の長尺ボルトの交差部を確実に連結することができるので、吊りボルトによる吊り状態を更に補強することができ、しかも、取付作業時の作業性が良好である。
【００２６】
請求項７に示す発明によれば、吊りボルトとこの吊りボルトに交差する長尺ボルトとの交差部を連結することができ、しかも、取付作業時の作業性が良好である。
【図面の簡単な説明】
【００２７】
【図１】本発明に係る長尺ボルト交差連結金具の一実施例を用いた吊り状態の一例を示す概略斜視図
【図２】図１に示す交差部の要部拡大正面図
【図３】本発明に係る長尺ボルト交差連結金具の一実施例を示す７面図（正面図、背面図、平面図、底面図、左側面図、右側面図、Ａ−Ａ線断面図）
【図４】図３に示す長尺ボルト交差連結金具の組立て順序の一例を示す概略説明図
【図５】図３に示す長尺ボルト交差連結金具の施工順序の一例を示す概略説明図
【発明を実施するための形態】
【００２８】
次に、添付の図面に従って本発明を実施例に基づき説明する。
【００２９】
本発明に係る長尺ボルト交差連結金具（以下、単に交差連結金具と言うこともある。）は、天井スラブ・デッキプレートの如き天板部より垂設された複数本の吊りボルトの隣接する２本の吊りボルト同士間である１つのスパン間に対して長尺ボルトを架渡し、この架渡した長尺ボルトによって隣接する吊りボルト同士を連結して吊りボルトによる吊り状態を補強する構成の吊りボルト補強金具に用いるものであり、１つの面方向のスパン間に交差状態に架渡される２本の長尺ボルトの交差部を連結する構成である。
【００３０】
図１に示す吊り状態の実施例では、天板部（図示は省略）から垂設される複数本の吊りボルトは符号２ＡＢ・２ＡＤ・２ＢＣ・２ＣＤで示す４本の態様となっている。
また、図１に示すように吊りボルト２が４本の場合には、隣接する２本の吊りボルト２・２同士間であるスパンは４つとなり、スパンＡ・Ｂ・Ｃ・Ｄで示すこととする。
具体的には、吊りボルト２ＡＢと２ＡＤとの間であるスパン間をスパンＡとして示し、吊りボルト２ＡＢと２ＢＣとの間であるスパン間をスパンＢとして示し、吊りボルト２ＢＣと２ＣＤとの間であるスパン間をスパンＣとして示し、吊りボルト２ＡＤと２ＣＤとの間であるスパン間はスパンＤとして示す。
更に、隣接する２本の吊りボルト２・２同士間である１つのスパン間に交差状態に架渡される２本の長尺ボルトは符号３として示し、より詳細には、吊りボルト２ＡＢ・２ＡＤ間であるスパンＡ間に架渡される２本の長尺ボルトは符号３Ａ・３Ｂとして示す。
【００３１】
図１に示す実施例では、４本の吊りボルト２ＡＢ・２ＡＤ・２ＢＣ・２ＣＤの各々に対して、その上方部分と下方部分の２箇所に吊りボルト連結金具９を取付固定することにより計８つの吊りボルト連結金具９を取付け、４つのスパンＡ・Ｂ・Ｃ・Ｄに各２本ずつの計８本の長尺ボルト３を架渡す構成となっている。４つのスパンＡ・Ｂ・Ｃ・Ｄの各々に交差状態に架渡された各２本ずつの長尺ボルト３は、その各スパン間において交差部分を本発明の交差連結具１により連結する構成となっている。尚、吊りボルト連結金具９としては、図１に示すように積層状態の２枚のＬ字状板材によって吊りボルト２を挟着固定すると共に、長尺ボルト３の端部を取付固定する構成のものの他、吊りボルト用筋交い取付金具として公知公用の構成のものを特別の制限なく用いることができる。
【００３２】
以上の構成によって、４本の吊りボルト２ＡＢ・２ＡＤ・２ＢＣ・２ＣＤによる吊り状態の補強が可能となっている。吊り状態が補強された４本の吊りボルト２ＡＢ・２ＡＤ・２ＢＣ・２ＣＤにより、例えば、エアコン等の機器類ＡＣを安定した状態で確実に吊下げることが可能となる。
【００３３】
次に、図２〜図５に基づき交差連結金具１の詳細について説明する。
尚、図２に示す連結金具１の詳細説明に際しては、図１に示す吊り状態の構成の吊りボルト２ＡＢと吊りボルト２ＡＤ間であるスパンＡに架渡された長尺ボルト３Ａと長尺ボルト３Ｂとの交差部を連結する構成の交差連結金具１に基づくものとする。尚また、図５についても図２と同様位置に取付固定される連結金具１に基づくものとする。
【００３４】
本発明の交差連結金具１は、
板材を断面Ｊ字状に折曲げて、長辺部４Ａ、短辺部４Ｂ、該長辺部４Ａと短辺部４Ｂとを接続する折曲部４Ｃとを形成して成る第１Ｊ字部材４と、
板材を断面Ｊ字状に折曲げて、長辺部５Ａ、短辺部５Ｂ、該長辺部５Ａと短辺部５Ｂとを接続する折曲部５Ｃとを形成して成る第２Ｊ字部材５と、を有すると共に、
前記第１Ｊ字部材４と第２Ｊ字部材５とが、各々のＪ字の短辺部４Ｂ・５Ｂが外向きとなると共に各々の長辺部４Ａ・４Ｂの一部同士を積層させた状態で回動可能に接続されており、
更に、前記第１Ｊ字部材４の短辺部４Ｂと該短辺部４Ｂと間隔を設けて積層する長辺部４Ａの各々には、ボルト７Ａを貫通挿通可能な透孔４１Ａ・４１Ｂが穿設され、
且つ、前記第２Ｊ字部材５の短辺部５Ｂと該短辺部５Ｂと間隔を設けて積層する長辺部５Ａの各々には、ボルト７Ｂを貫通挿通可能な透孔５１Ａ・５１Ｂが穿設されており、
前記第１Ｊ字部材４の長辺部４Ａと短辺部４Ｂとの間で且つ折曲部４Ｃの内側に前記２本の長尺ボルト３の一方（本実施例では３Ａ）を引掛け挿通した後（図５の（２）参照）、前記長辺部４Ａと短辺部４Ｂの透孔４１Ａ・４１Ｂにボルト７Ａを貫通挿通し（図５の（５）参照）、該ボルト７Ａに対してナット８Ａ締めすることにより引掛け挿通した一方の長尺ボルト３Ａの脱落を防止する構成であり、
前記第２Ｊ字部材５の長辺部５Ａと短辺部５Ｂとの間で且つ折曲部５Ｃの内側に前記２本の長尺ボルト３の他方（本実施例では３Ｂ）を引掛け挿通した後（図５の（４）参照）、前記長辺部５Ａと短辺部５Ｂの透孔５１Ａ・５１Ｂにボルト７Ｂを貫通挿通し（図５の（５）参照）、該ボルト７Ｂに対してナット８Ｂ締めすること（図５の（６）参照）により引掛け挿通した他方の長尺ボルト３Ｂの脱落を防止する構成であること、
を具体的構成とするものである。
【００３５】
上記構成を有する本発明の交差連結金具１は、２本の長尺ボルト３Ａ・３Ｂの各々を、第１Ｊ字部材４と第２Ｊ字部材５の各々の長辺部４Ａ・５Ａと短辺部４Ｂ・５Ｂとの間で且つ折曲部４Ｃ・５Ｃの内側に引掛け挿通した後、長辺部４Ａ・５Ａと短辺部４Ｂ・５Ｂをボルト７Ａ・７Ｂを貫通挿通してナット８Ａ・８Ｂ締めする構成により、引掛け挿通した長尺ボルト３Ａ・３Ｂが脱落することがない。従って、２本の長尺ボルト３Ａ・３Ｂの交差部を確実に連結することができるので、吊りボルト２による吊り状態を更に補強することができる。しかも、取付作業時の作業性が良好である。
【００３６】
また、本発明の交差連結金具１は、第１Ｊ字部材４と第２Ｊ字部材５とが長辺部４Ａ・４Ｂの一部同士を積層させた状態で回動可能に接続した構成により、２本の長尺ボルト３Ａ・３Ｂの交差部が様々な交差角度であっても対応することができる。第１Ｊ字部材４と第２Ｊ字部材５とを接続する回動接続部６は、本実施例では長辺部４Ａに形成された透孔４２と長辺部５Ａに形成された透孔５２とに貫通するカシメ手段により回動可能に接続する構成をしているが、本発明はかかる構成に限定されず、ボルト・ナットを用いた構成とすることもできる。
【００３７】
更に、本発明の交差連結金具１は本実施例に示すように、ボルト挿通用の透孔４１Ｂ・５１Ａに挿通するボルト７Ａ・７Ｂの供回り防止手段４３・５３が設けられていることが好ましい。かかる構成によれば、２本の長尺ボルト３Ａ・３Ｂを各々引掛け挿通した第１Ｊ字部材４と第２Ｊ字部材５の夫々に挿通したボルト７Ａ・７Ｂへのナット８Ａ・８Ｂ螺合作業時に、ナット８Ａ・８Ｂ螺合に伴うボルト７Ａ・７Ｂの供回りが生じることなくナット８Ａ・８Ｂを螺合することができるので、現場での取付作業時の作業性が向上する。
【００３８】
ボルト供回り手段４３・５３としては、この種の支持金具のボルト供回り防止手段として公知公用の構成を特別の制限なく採ることができる。本実施例では、第２Ｊ字部材５の長辺部５Ａにボルト頭の側面に当接する凸部を設けた構成や、第１Ｊ字部材４の短辺部４Ａの一部をボルト頭の側面に当接するように折り曲げた構成を採っているが、本発明はこれらの態様に限らず、第２Ｊ字部材５の長辺部５Ａの一部をボルト頭の側面に当接するように折曲形成したり、第１Ｊ字部材４の短辺部４Ｂにボルト頭の側面に当接する凸部を設けた構成とすることもできる。
【００３９】
尚、本実施例では、第１Ｊ字部材４では短辺部４Ｂ側からボルト７Ａを挿通する構成としたので前記ボルト供回り防止手段４３を短辺部４Ｂに設けたが、長辺部４Ａ側からボルト７Ａを挿通する構成とした場合には、ボルト供回り防止手段は長辺部４Ａ側に形成されることになる。第２Ｊ字部材５についても同様に、本実施例では、長辺部５Ａ側からボルト７Ｂを相通する構成としたので前記ボルト供回り防止手段５３を長辺部５Ａに設けたが、短辺部５Ｂ側からボルト７Ｂを挿通する構成とした場合には、ボルト供回り防止手段は短辺部５Ｂに形成されることになる。
【００４０】
更にまた、本発明の交差連結金具１は、本実施例に示すように、第１Ｊ字部材４の長辺部４Ａと第２Ｊ字部材５の長辺部５Ａとの積層が、Ｊ字の内側面同士が互いに対面するように積層させた構成であることが好ましい。かかる構成によれば、交差部における２本の長尺ボルト３Ａ・３Ｂ同士の間隔を無くした状態、即ち、２本の長尺ボルト３Ａ・３Ｂ同士を交差部において当接した状態での連結が可能となる。尚、Ｊ字の長辺部４Ａ・５Ａの外側面同士が当接するように積層させた場合には、長辺部４Ａ・５Ａの２枚分の厚み分だけ交差部における２本の長尺ボルト３Ａ・３Ｂ同士の間隔が開くことになるが、交差部において２本の長尺ボルト３Ａ・３Ｂを確実に連結することができる。
【００４１】
以上、本発明の長尺ボルト交差連結金具について実施例に基づき説明したが、本発明は上記実施例に限定されず、本発明の範囲内において、例えば、下記するような構成を採ることができる。
【００４２】
図１に示す上記実施例では、２本の吊りボルト同士間である１つのスパン間に交差状態に架渡した２本の長尺ボルトの交差部分を連結する構成について説明したが、２本の長尺ボルト同士の連結ではなく、吊りボルトと長尺ボルトとの交差部分を連結する構成に用いることもできる。即ち、図１に示す吊りボルト連結金具９に代えて長尺ボルト交差連結金具１を用いる構成も本発明の範囲内である。
【００４３】
尚、本発明の長尺ボルト交差連結金具は、上記実施例の１つのスパン間の２本の長尺ボルトの交差部分に用いる構成、吊りボルトと長尺ボルトの交差部分に用いる構成の他、単に２本の長尺ボルトの交差部分を連結する構成に用いることができる。
【００４４】
尚また、本発明において「長尺ボルト」、「吊りボルト」は全螺子ボルトに限らず、端部等の一部に螺子が切られているボルト又は丸棒や、螺子部の無い丸棒、その他の吊下げ杆や斜め補強杆の如き長尺杆を含むものである。
【符号の説明】
【００４５】
１  長尺ボルト交差連結金具
２  吊りボルト
３  長尺ボルト
４  第１Ｊ字部材
４Ａ  長辺部
４Ｂ  短辺部
４Ｃ  折曲部
４１Ａ  透孔（ボルト挿通用）
４１Ｂ  透孔（ボルト挿通用）
４２  透孔（回動接続部挿通用）
４３  ボルト供回り防止手段
５  第２Ｊ字部材
５Ａ  長辺部
５Ｂ  短辺部
５Ｃ  折曲部
５１Ａ  透孔（ボルト挿通用）
５１Ｂ  透孔（ボルト挿通用）
５２  透孔（回動接続部挿通用）
５３  ボルト供回り防止手段
６  回動接続部
７Ａ  ボルト
７Ｂ  ボルト
８Ａ  ナット
８Ｂ  ナット
９  吊りボルト連結金具
ＡＣ  エアコン等の機器類
【図１】
2014148828.tif 000003
【図２】
2014148828.tif 000004
【図３】
2014148828.tif 000005
【図４】
2014148828.tif 000006
【図５】
2014148828.tif 000007